(57)【要約】【課題】運用中システムにおける基板交換実施時に、迅速かつ的確な調整を実施することによりメンテナンス時間を削減することを図ることを目的とする。【解決手段】所定の装置に装着されている部品の固体番号を記憶する基板製造番号記憶部５と、上記所定の装置に装着された部品の固体番号を検出し、検出された固体番号と記憶されている固体番号とを比較する固体番号検出部１１０と、比較された結果、検出された固体番号と記憶されている固体番号とが異なる場合に、検出された固体番号と記憶されている固体番号とが異なることを示す識別情報を出力し、検出された固体番号と記憶されている固体番号とが異なることを外部に促す通知部７とを備えたことを特徴とする。【選択図】        図１
2004214882.tif 000002
【特許請求の範囲】
【請求項１】
自己の固体番号を有する部品を管理する、上記部品が装着される所定の装置内に配置された管理装置であって、
上記所定の装置に装着されている部品の固体番号を記憶する記憶部と、
上記所定の装置に装着された部品の固体番号を検出し、検出された固体番号と上記記憶部により記憶されている固体番号とを比較する固体番号検出部と、
上記固体番号検出部により比較された結果、検出された固体番号と上記記憶部により記憶されている固体番号とが異なる場合に、検出された固体番号と上記記憶部により記憶されている固体番号とが異なることを示す識別情報を出力し、検出された固体番号と上記記憶部により記憶されている固体番号とが異なることを外部に促す出力部と
を備えたことを特徴とする管理装置。
【請求項２】
上記固体番号検出部は、比較された結果、検出された固体番号と上記記憶部により記憶されている固体番号とが異なる場合に、検出された固体番号を上記記憶部に出力し、
上記記憶部は、記憶されている部品の固体番号に代わって上記固体番号検出部により出力された固体番号を記憶することを特徴とする請求項１記載の管理装置。
【請求項３】
部品が装着される所定の装置を操作するオペレーション装置において、
上記部品を管理する上記所定の装置内に配置された管理装置から、上記所定の装置に装着された部品を識別する識別情報を入力する入力部と、
上記所定の装置に装着された部品の識別情報に対応する、上記所定の装置を操作するための所定の設定情報を記憶するデータベースと、
上記入力部により入力された部品の識別情報に基づいて、データベースから部品の識別情報に対応する所定の設定情報を検索する設定情報検索部と、
上記設定情報検索部により検索された所定の設定情報を出力する設定情報出力部と
を備えたことを特徴とするオペレーション装置。
【請求項４】
上記設定情報出力部は、上記設定情報検索部により検索された所定の設定情報を表示し、上記所定の装置を操作するために、ユーザに対し、上記所定の設定情報に基づいて、上記オペレーション装置の設定を促すことを特徴とする請求項３記載のオペレーション装置。
【請求項５】
部品が装着される所定の装置を操作するオペレーション装置において、
上記所定の装置から、上記所定の装置に装着された部品の識別情報を入力する入力部と、
上記所定の装置に装着された部品の識別情報に対応する、上記所定の装置を操作するための所定の設定情報を記憶するデータベースと、
上記入力部により入力された部品の識別情報に基づいて、データベースから部品の識別情報に対応する所定の設定情報を検索する設定情報検索部と、
上記設定情報検索部により検索された所定の設定情報に基づいて、上記オペレーション装置の設定をおこなう設定実行部と
を備えたことを特徴とするオペレーション装置。
【請求項６】
部品が装着される所定の装置を操作するオペレーション装置において、
上記所定の装置から、上記所定の装置に装着された部品の装着情報を入力する入力部と、
上記所定の装置に過去に装着されていた部品の装着情報の履歴を示す履歴情報を記憶するデータベースと、
上記入力部により入力された部品の装着情報に基づいて、上記データベースに記憶された履歴情報を更新する履歴情報更新部と、
上記履歴情報更新部により更新された履歴情報を表示する表示部と
を備えたことを特徴とするオペレーション装置。
【請求項７】
所定の部品が装着される所定の装置を操作するオペレーション装置において、
上記所定の装置から、上記所定の装置に装着された所定の部品の装着情報を入力する入力部と、
上記所定の装置に装着されていた所定の部品の装着情報と上記入力部により入力された装着された所定の部品の装着情報とを記憶する装着情報データベースと、
上記装着されていた所定の部品を連続使用する場合の耐用期間を示す耐用期間情報を記憶する耐用期間情報データベースと、
上記装着情報データベースにより記憶された上記装着されていた所定の部品の装着情報と上記装着された所定の部品の装着情報と、上記耐用期間情報データベースにより記憶された耐用期間情報とに基づいて、上記装着されていた所定の部品が上記耐用期間を超えているかどうかをチェックする耐用期間チェック部と、上記耐用期間チェック部によりチェックされた結果、上記装着されていた所定の部品が上記耐用期間を超えている場合に、上記装着されていた所定の部品が上記耐用期間を超えていることを示す識別情報を出力する識別情報出力部と
を備えたことを特徴とするオペレーション装置。
【請求項８】
自己の固体番号を有する部品を管理する、上記部品が装着される所定の装置内に配置された管理装置がおこなう管理方法であって、
上記所定の装置に装着されている部品の固体番号を記憶装置に記憶する記憶工程と、
上記所定の装置に装着された部品の固体番号を検出し、検出された固体番号と上記記憶装置により記憶されている固体番号とを比較する固体番号検出工程と、上記固体番号検出工程により比較された結果、検出された固体番号と上記記憶装置により記憶されている固体番号とが異なる場合に、検出された固体番号と上記記憶装置により記憶されている固体番号とが異なることを示す識別情報を出力し、検出された固体番号と上記記憶装置により記憶されている固体番号とが異なることを外部に促す出力工程と
を備えたことを特徴とする管理方法。
【請求項９】
部品が装着される所定の装置を操作するオペレーション方法において、
上記部品を管理する上記所定の装置内に配置された管理装置から、上記所定の装置に装着された部品の識別情報を入力する入力工程と、
上記所定の装置に装着された部品の識別情報に対応する、上記所定の装置を操作するための所定の設定情報をデータベースに記憶する記憶工程と、
上記入力工程により入力された部品の識別情報に基づいて、データベースから部品の識別情報に対応する所定の設定情報を検索する設定情報検索工程と、
上記設定情報検索工程により検索された所定の設定情報を出力する設定情報出力工程と
を備えたことを特徴とするオペレーション方法。
【請求項１０】
部品が装着される所定の装置を操作するオペレーション方法において、
上記所定の装置から、上記所定の装置に装着された部品の識別情報を入力する入力工程と、
上記所定の装置に装着された部品の識別情報に対応する、上記所定の装置を操作するための所定の設定情報をデータベースに記憶する記憶工程と、
上記入力工程により入力された部品の識別情報に基づいて、データベースから部品の識別情報に対応する所定の設定情報を検索する設定情報検索工程と、
上記設定情報検索工程により検索された所定の設定情報に基づいて、上記オペレーション装置の設定をおこなう設定実行工程と
を備えたことを特徴とするオペレーション方法。
【請求項１１】
部品が装着される所定の装置を操作するオペレーション方法において、
上記所定の装置から、上記所定の装置に装着された部品の装着情報を入力する入力工程、
上記所定の装置に過去に装着されていた部品の装着情報の履歴を示す履歴情報をデータベースに記憶する記憶工程と、
上記入力工程により入力された部品の装着情報に基づいて、上記データベースに記憶された履歴情報を更新する履歴情報更新工程と、
上記履歴情報更新工程により更新された履歴情報を表示する表示工程と
を備えたことを特徴とするオペレーション方法。
【請求項１２】
所定の部品が装着される所定の装置を操作するオペレーション方法において、
上記所定の装置から、上記所定の装置に装着された所定の部品の装着情報を入力する入力工程と、
上記所定の装置に装着されていた所定の部品の装着情報と上記入力工程により入力された装着された所定の部品の装着情報とを第１のデータベースに記憶する第１の記憶工程と、
上記装着されていた所定の部品を連続使用する場合の耐用期間を示す耐用期間情報を第２のデータベースに記憶する第２の記憶工程と、
上記第１のデータベースにより記憶された上記装着されていた所定の部品の装着情報と上記装着された所定の部品の装着情報と、上記第２のデータベースにより記憶された耐用期間情報とに基づいて、上記装着されていた所定の部品が上記耐用期間を超えているかどうかをチェックする耐用期間チェック工程と、
上記耐用期間チェック工程によりチェックされた結果、上記装着されていた所定の部品が上記耐用期間を超えている場合に、上記装着されていた所定の部品が上記耐用期間を超えていることを示す識別情報を出力する識別情報出力工程と
を備えたことを特徴とするオペレーション方法。
【請求項１３】
自己の固体番号を有する部品を管理する、上記部品が装着される所定の装置内に配置されたコンピュータに実行させるプログラム又は、プログラムを記録したコンピュータ読み取り可能な記録媒体であって、
上記所定の装置に装着されている部品の固体番号を記憶装置に記憶する記憶処理と、
上記所定の装置に装着された部品の固体番号を検出し、検出された固体番号と上記記憶装置により記憶されている固体番号とを比較する固体番号検出処理と、上記固体番号検出処理により比較された結果、検出された固体番号と上記記憶装置により記憶されている固体番号とが異なる場合に、検出された固体番号と上記記憶装置により記憶されている固体番号とが異なることを示す識別情報を出力し、検出された固体番号と上記記憶装置により記憶されている固体番号とが異なることを外部に促す出力処理と
をコンピュータに実行させるプログラム又は、プログラムを記録したコンピュータ読み取り可能な記録媒体。
【請求項１４】
部品が装着される所定の装置を操作するコンピュータに実行させるプログラム又は、プログラムを記録したコンピュータ読み取り可能な記録媒体において、
上記部品を管理する上記所定の装置内に配置された管理装置から、上記所定の装置に装着された部品の識別情報を入力する入力処理と、
上記所定の装置に装着された部品の識別情報に対応する、上記所定の装置を操作するための所定の設定情報をデータベースに記憶する記憶処理と、
上記入力処理により入力された部品の識別情報に基づいて、データベースから部品の識別情報に対応する所定の設定情報を検索する設定情報検索処理と、
上記設定情報検索処理により検索された所定の設定情報を出力する設定情報出力処理と
をコンピュータに実行させるプログラム又は、プログラムを記録したコンピュータ読み取り可能な記録媒体。
【請求項１５】
部品が装着される所定の装置を操作するコンピュータに実行させるプログラム又は、プログラムを記録したコンピュータ読み取り可能な記録媒体において、
上記所定の装置から、上記所定の装置に装着された部品の識別情報を入力する入力処理と、
上記所定の装置に装着された部品の識別情報に対応する、上記所定の装置を操作するための所定の設定情報をデータベースに記憶する記憶処理と、
上記入力処理により入力された部品の識別情報に基づいて、データベースから部品の識別情報に対応する所定の設定情報を検索する設定情報検索処理と、
上記設定情報検索処理により検索された所定の設定情報に基づいて、上記オペレーション装置の設定をおこなう設定実行処理と
をコンピュータに実行させるプログラム又は、プログラムを記録したコンピュータ読み取り可能な記録媒体。
【請求項１６】
部品が装着される所定の装置を操作するコンピュータに実行させるプログラム又は、プログラムを記録したコンピュータ読み取り可能な記録媒体において、
上記所定の装置から、上記所定の装置に装着された部品の装着情報を入力する入力処理、
上記所定の装置に過去に装着されていた部品の装着情報の履歴を示す履歴情報をデータベースに記憶する記憶処理と、
上記入力処理により入力された部品の装着情報に基づいて、上記データベースに記憶された履歴情報を更新する履歴情報更新処理と、
上記履歴情報更新処理により更新された履歴情報を表示する表示処理と
をコンピュータに実行させるプログラム又は、プログラムを記録したコンピュータ読み取り可能な記録媒体。
【請求項１７】
所定の部品が装着される所定の装置を操作するコンピュータに実行させるプログラム又は、プログラムを記録したコンピュータ読み取り可能な記録媒体において、
上記所定の装置から、上記所定の装置に装着された所定の部品の装着情報を入力する入力処理と、
上記所定の装置に装着されていた所定の部品の装着情報と上記入力処理により入力された装着された所定の部品の装着情報とを第１のデータベースに記憶する第１の記憶処理と、
上記装着されていた所定の部品を連続使用する場合の耐用期間を示す耐用期間情報を第２のデータベースに記憶する第２の記憶処理と、
上記第１のデータベースにより記憶された上記装着されていた所定の部品の装着情報と上記装着された所定の部品の装着情報と、上記第２のデータベースにより記憶された耐用期間情報とに基づいて、上記装着されていた所定の部品が上記耐用期間を超えているかどうかをチェックする耐用期間チェック処理と、
上記耐用期間チェック工程によりチェックされた結果、上記装着されていた所定の部品が上記耐用期間を超えている場合に、上記装着されていた所定の部品が上記耐用期間を超えていることを示す識別情報を出力する識別情報出力処理と
をコンピュータに実行させるプログラム又は、プログラムを記録したコンピュータ読み取り可能な記録媒体。
【発明の詳細な説明】
【０００１】
【発明の属する技術分野】
この発明は、部品が装着される所定の装置内に配置された管理装置、或いは、部品が装着される所定の装置を操作するオペレーション装置に関する。又は上記管理装置の管理方法、或いは、部品が装着される所定の装置を操作するオペレーション方法に関する。特に、装置に実装される基板の交換／増設に対して調整を実施し、基板交換履歴を管理する管理装置とオペレーション装置とを備えた光伝送システムに関する。
【０００２】
【従来の技術】
ＡＴＭ交換機の試験システムに関し、第１にハードウェアパッケージが装着された際、システムにてハードウェアの種類を認識し、その種類に応じた品質検証を自動的に実施することができるＡＴＭ交換機の試験システムを提供することを目的として、以下の手段が公知になっている。ＡＴＭ交換機と、保守コンソールと、試験装置よりなるＡＴＭ交換機システムにおいて、前記ＡＴＭ交換機内に、通話路系装置のパッケージを装着した時に、該パッケージより発信される信号から、パッケージが装着されたことを検出し、そのパッケージの種類を特定するパッケージ試験制御部を設けて構成する。（例えば、特許文献１参照）
【０００３】
【特許文献１】
特開平９−２１４４９８号公報
【０００４】
【発明が解決しようとする課題】
この従来技術は、基板の試験実施に関するものであり、運用中のシステムに関するものではない。運用中システムにおける基板交換実施時には、当該基板または関連する基板に対して各種調整を実施する必要がある場合がある。従来、各種調整内容および調整実施対象基板はオペレータがマニュアルを読むことなどで決定していたため、手間がかかるとともにヒューマンエラーを引き起こす可能性があった。
また、従来技術は、基板の試験実施に関するものであるため、パッケージの種類を特定するための信号を装備する。しかし、パッケージの種類を特定するための信号を装備するのでは、同一種類のパッケージは、同一となされてしまい運用中のシステムには使用できない。
【０００５】
本発明は、基板交換／増設時に調整が必要となる装置において、基板交換／増設を自動認識し、推奨調整内容を管理者に表示することまたは推奨調整内容を自動実行することにより装置のメンテナンス性の向上を図ることを目的とする。
本発明は、運用中システムにおける基板交換実施時に、迅速かつ的確な調整を実施することによりメンテナンス時間を削減することを図ることを目的とする。また、基板交換記録を保持することにより過去の基板交換の傾向をシステム管理者に提供することを目的とする。
【０００６】
【課題を解決するための手段】
この発明の管理装置は、自己の固体番号を有する部品を管理する、上記部品が装着される所定の装置内に配置された管理装置であって、
上記所定の装置に装着されている部品の固体番号を記憶する記憶部と、
上記所定の装置に装着された部品の固体番号を検出し、検出された固体番号と上記記憶部により記憶されている固体番号とを比較する固体番号検出部と、
上記固体番号検出部により比較された結果、検出された固体番号と上記記憶部により記憶されている固体番号とが異なる場合に、検出された固体番号と上記記憶部により記憶されている固体番号とが異なることを示す識別情報を出力し、検出された固体番号と上記記憶部により記憶されている固体番号とが異なることを外部に促す出力部と
を備えたことを特徴とする。
【０００７】
【発明の実施の形態】
実施の形態１．
以下、実施の形態１を図１を用いて説明する。
図１は、障害監視装置の構成図である。
図１において、光伝送システムは、装置１、オペレーションシステム２０７を備えている。装置１は、例えば、光通信装置などの障害が発生および回復する装置全体である。装置１は、障害監視装置１００（管理装置の一例である）、基板１０を備えている。障害監視装置１００は、基板実装状態検出部２、固体番号検出部１１０、基板製造番号記憶部５（記憶部、記憶装置の一例である）、障害検出部６、通知部７（固体番号出力部の一例である）を備えている。固体番号検出部１１０は、基板製造番号検出部３、基板製造番号比較部４を有している。オペレーションシステム２０７（オペレーション装置の一例である）は、受信部２０３（入力部の一例である）を備えている。
【０００８】
次に動作について説明する。
管理装置の一例である障害監視装置１００は、自己の固体番号を有する部品を管理する、上記部品が装着される所定の装置１内に配置されている。ここで、上記部品の一例として、ここでは、基板１０を用いて説明する。
基板実装状態検出部２は、基板実装状態変化を検出する。基板実装状態検出部２で検出した基板実装状態変化は、基板製造番号検出部３に通知される。
記憶部の一例である基板製造番号記憶部５は、上記所定の装置１に装着されている基板１０の基板製造番号（部品の固体番号の一例である）を記憶する。
基板製造番号検出部３は実装された基板１０の基板製造番号を検出し、実装基板製造番号を基板製造番号比較部４に通知する。検出方法は、実装基板製造番号をデジタル情報として、実装基板から入力しても構わない。或いは、基板１０の表面に明記された実装基板製造番号をカメラ等を用いて光学的に読み取っても構わない。
基板製造番号比較部４は基板製造番号記憶部５において記憶済の基板製造番号と比較することにより、同一基板製造番号であれば基板交換ではないとして処理を終了し、異なる基板製造番号であれば基板交換が発生したとして障害検出部６に通知するとともに当該の実装基板製造番号で基板製造番号記憶部５を更新する。言いかえると、固体番号検出部１１０は、上記所定の装置１に装着された部品の固体番号の一例としての基板１０の基板製造番号を検出し、検出された固体番号の一例としての基板１０の基板製造番号と上記記憶部の一例である基板製造番号記憶部５により記憶されている固体番号の一例としての基板製造番号とを比較する。そして、上記固体番号検出部１１０は、比較された結果、検出された固体番号の一例としての基板１０の基板製造番号と上記記憶部の一例である基板製造番号記憶部５により記憶されている固体番号の一例としての基板製造番号とが異なる場合に、検出された固体番号の一例としての基板１０の基板製造番号を上記記憶部の一例である基板製造番号記憶部５に出力する。上記記憶部の一例である基板製造番号記憶部５は、記憶されている部品の固体番号の一例としての基板製造番号に代わって上記固体番号検出部１１０により出力された固体番号の一例としての基板１０の基板製造番号を記憶する。
障害検出部６は基板交換および非実装警報復旧を通知部７に通知する。
通知部７はオペレーションシステム２０７へ報告できる形式に障害発生通知を変換し、報告する。言いかえれば、出力部の一例である通知部７は、上記固体番号検出部１１０により比較された結果、検出された固体番号の一例としての基板１０の基板製造番号と上記記憶部の一例である基板製造番号記憶部５により記憶されている固体番号の一例としての基板製造番号とが異なる場合に、検出された固体番号の一例としての基板１０の基板製造番号と上記記憶部の一例である基板製造番号記憶部５により記憶されている固体番号の一例としての基板製造番号とが異なることを示す識別情報を出力し、検出された固体番号の一例としての基板１０の基板製造番号と上記記憶部の一例である基板製造番号記憶部５により記憶されている固体番号の一例としての基板製造番号とが異なることを外部に促す。何らかの識別情報を出力することで、部品が交換されたことを示すことができる。ここで、識別情報として、例えば、上記所定の装置１に装着された部品の種別を示す種別情報である交換基板種別が挙げられる。また、識別情報として、例えば、基板交換日時、基板実装箇所が挙げられる。或いは、固体番号の一例としての基板製造番号であっても構わない。識別情報が交換基板種別である場合に、通知部７は、固体番号の一例としての基板製造番号から交換基板種別を対応させるテーブルを備えていても構わない。或いは、基板実装状態検出部２或いは固体番号検出部１１０において、交換基板から交換基板種別を抽出しても構わない。識別情報が基板交換日時或いは基板実装箇所である場合に、基板実装状態検出部２において、基板実装状態を検出した日時を基板交換日時として特定し、基板実装状態を検出した箇所を基板実装箇所として特定しても構わない。或いは、固体番号検出部１１０において、固体番号検出部１１０が検出した日時を基板交換日時として特定し、固体番号の一例としての基板製造番号を検出した箇所を基板実装箇所として特定しても構わない。また、固体番号検出部１１０は、検出した固体番号の一例としての基板製造番号と基板実装箇所とが対応するテーブルを備え、テーブルから基板実装箇所を特定しても構わない。そして、通知部７は、基板実装状態検出部２或いは固体番号検出部１１０から基板交換日時、基板実装箇所、交換基板種別の各情報を入力し、識別情報として出力しても構わない。
受信部２０３は通知部７からの通知を受信する。
本実施の形態では、基板実装を検出した際に当該基板が交換されたものか否かを装置１で検出し、特に、障害監視装置１００で検出し、オペレーションシステム２０７へ通知することが可能となる。例えば、識別情報の一例としての種別情報をオペレーションシステム２０７へ通知することで、オペレーションシステム２０７では、以下に記載するシステム調整を行なうことができる。
【０００９】
以上のように、本実施の形態１は、基板の実装状態を監視する基板実装状態検出部と、基板の固有製造番号を読み出す基板製造番号検出部、検出した基板製造番号を記憶する基板製造番号記憶部、基板製造番号記憶部の基板製造番号と実装状態検出時に基板製造番号検出部により検出された基板製造番号とを比較する基板製造番号比較部、障害を検出する障害検出部、外部オペレーション装置への障害通知を行う通知部を備え、基板製造番号の変化が発生した場合、外部オペレーション装置へ通知を行うことを特徴とした光伝送システムを一例として説明した。
【００１０】
本実施の形態に関わる基板実装状態検出部２は基板の実装状態の変化を検出するためのものである。基板製造番号検出部３は基板製造番号を検出するためのものである。基板製造番号記憶部５は基板製造番号検出部３で検出した基板製造番号を記憶するためのものである。基板製造番号比較部４は基板製造番号記憶部５に記憶されている基板製造番号と基板製造番号検出部３で検出された基板製造番号とを比較するためのものである。障害検出部６は基板製造番号比較部によって比較した結果、異なる基板製造番号であった場合に障害として発生を通知するためのものである。通知部７は障害検出部から通知された障害発生情報をオペレーションシステム２０７へ報告できる形式に変換し、報告を行うためのものである。オペレーションシステム２０７は通知部７から報告された障害の発生および回復を、例えばディスプレイへの画面表示のように、システム管理者が認識できる形式に変換して通知することができる。すなわち、基板実装状態検出部２で検出した基板実装通知をトリガとして基板製造番号検出部３により新たに実装された基板製造番号を検出し、基板製造番号記憶部５で記憶済の基板製造番号と基板製造番号比較部４で比較することにより基板交換／増設を自動認識し、障害検出部６により基板交換／増設通知として通知部７へ報告することにより、受信部８を通してオペレーションシステム９へ報告する。
本実施の形態によれば、固体番号の一例としての基板１０の基板製造番号を比較することにより、同一種類のパッケージでも同一となされてしまうことがなく、運用中のシステムに使用することができる。
【００１１】
図２は、実施の形態１におけるオペレーション装置の構成図である。
図２において、オペレーション装置の一例として、オペレーションシステム２０７は、受信部２０３、調整内容検索部２０４、システム調整データベース２０５、表示部２０６を備えている。例えば光通信装置などの障害が発生および回復する装置１は、図１と同様であり、図２では、障害監視装置１００、通知部７以外を省略している。
オペレーション装置は、部品が装着される所定の装置１を操作する。
入力部は、上記部品を管理する上記所定の装置１内に配置された管理装置の一例としての障害監視装置１００から、上記所定の装置１に装着された部品の識別情報を入力する。具体的には、入力部の一例として、受信部２０３が、通知部７から報告された基板交換／増設通知を受信後、通知内容を解析し、識別情報の一例として、交換／増設された基板種別と基板増設箇所を取り出す。
データベースの一例として、システム調整データベース２０５は、上記所定の装置１に装着された部品の識別情報に対応する、上記所定の装置１を操作するための所定の設定情報を記憶する。
設定情報検索部は、上記入力部により入力された部品の識別情報に基づいて、データベースから部品の識別情報に対応する所定の設定情報を検索する。具体的には、設定情報検索部の一例として、調整内容検索部２０４が、解析結果を基にシステム調整データベース２０５を検索し、推奨調整内容を決定する。
設定情報出力部は、上記設定情報検索部により検索された所定の設定情報を出力する。上記設定情報出力部は、上記設定情報検索部により検索された所定の設定情報を表示し、上記所定の装置を操作するために、ユーザに対し、上記所定の設定情報に基づいて、上記オペレーション装置の設定を促す。具体的には、設定情報出力部の一例として、表示部２０６が推奨調整内容をシステム管理者に表示する。
【００１２】
図３は、システム調整データベースの内容例を示す図である。
図３においては、識別情報の一例としての基板種別の種別情報を示す基板種別Ａ，Ｂ，Ｃ，Ｄが記載されている。ここで、識別情報の一例として、基板種別Ａ，Ｂ，Ｃ，Ｄに代わって、部品の固体番号、ここでは一例としての基板製造番号であっても構わない。或いはその他の情報であっても構わない。システム調整データベース２０５が記憶する例えば図３に記載された実施推奨調整、調整対象基板種別、調整対象基板特定方法の各内容に対応できる識別情報であれば構わない。
また、図３においては、所定の設定情報の一例として実施推奨調整の各内容である調整Ａ，Ｂ，Ｃ，Ｄ，Ｅ，Ｆが記載されている。
本形態では、基板の交換によって実施すべき推奨調整内容をシステム管理者に通知することが可能となる。
【００１３】
以上のように、本実施の形態は、外部オペレーション装置にシステム調整データベース２０５と、通知される基板製造番号変化通知をキーとしてシステム調整データベース２０５を検索する調整内容検索部２０４、オペレータに調整内容を表示する表示部２０６を備え、基板交換／増設時の適切な調整内容をオペレータに表示することを特徴とした光伝送システムを一例として説明した。
本実施の形態に関わる通知部７は、検出した基板交換／増設をオペレーションシステムに通知するための機能を有する。受信部２０３は通知を受信し、通知内容を解析する機能を有する。システム調整データベース２０５は交換／増設された基板の種別毎に実施すべき調整内容と調整実施対象を特定する方法を記憶する機能を有する。調整内容検索部２０４は通知内容解析結果とシステム調整データベース２０５を基に推奨調整内容を検索する機能を有する。表示部２０６は調整内容検索部によって検索された推奨調整内容を、例えばディスプレイへの画面表示のように、システム管理者が認識できる形式に変換して通知する機能を有する。
本実施の形態によれば、基板の実装検出時に基板交換を認識することが可能となるとともに、基板交換によって実施すべき推奨調整内容をシステム管理者に通知することができる。
【００１４】
実施の形態２．
以下、実施の形態２を、図４を用いて説明する。
図４は、実施の形態２におけるオペレーション装置の構成図である。
図４において、オペレーション装置の一例であるオペレーションシステム２０７は、受信部２０３、調整内容検索部２０４、システム自動調整データベース３０５、調整実行部３０６を備えている。装置１は、実施の形態１と同様である。オペレーション装置は、部品が装着される所定の装置を操作する。
入力部は、上記所定の装置から、上記所定の装置に装着された部品の識別情報を入力する。具体的には、入力部の一例として、受信部２０３が、通知部７から報告された基板交換／増設通知を受信後、通知内容を解析し、識別情報の一例として、交換／増設された基板種別と基板増設箇所とを取り出す。
データベースの一例として、システム自動調整データベース３０５は、上記所定の装置に装着された部品の識別情報に対応する、上記所定の装置を操作するための所定の設定情報を記憶する。
設定情報検索部は、上記入力部により入力された部品の識別情報に基づいて、データベースから部品の識別情報に対応する所定の設定情報を検索する。具体的には、設定情報検索部の一例として、調整内容検索部２０４は、解析結果を基にシステム自動調整データベース３０５を検索し、自動実行が可能な推奨調整内容を決定する。
設定実行部は、上記設定情報検索部により検索された所定の設定情報に基づいて、上記オペレーション装置の設定をおこなう。具体的には、設定実行部の一例として、調整実行部３０６が推奨調整内容を自動実行する。
【００１５】
図５は、システム自動調整データベース３０５の内容例を示す図である。
図５においては、識別情報の一例としての基板種別の種別情報を示す基板種別Ａ，Ｂ，Ｃ，Ｄが記載されている。ここで、識別情報の一例として、基板種別Ａ，Ｂ，Ｃ，Ｄに代わって、部品の固体番号、ここでは一例としての基板製造番号であっても構わない。或いはその他の情報であっても構わない。システム調整データベース２０５が記憶する例えば図５に記載された自動実施調整、調整対象基板種別、調整対象基板特定方法、自動実行フラグの各内容に対応できる識別情報であれば構わない。
また、図５においては、所定の設定情報の一例として自動実施調整の各内容である調整Ａ，Ｂ，Ｃ，Ｄ，Ｅ，Ｆが記載されている。
本実施の形態によれば、基板の実装検出時に基板交換を認識することが可能となるとともに、基板交換によって実施すべき推奨調整内容を自動的に実行することが可能となる。
【００１６】
以上のように、本実施の形態は、外部オペレーション装置にシステム調整データベースと、通知される基板製造番号変化通知をキーとしてシステム自動調整データベースを検索する調整内容検索部、調整内容を実行する調整実行部を備え、基板交換／増設時の適切な調整内容を自動実行することを特徴とした光伝送システムを一例として説明した。
本実施の形態に関わる通知部７は、検出した基板交換／増設をオペレーションシステムに通知するための機能を有する。受信部２０３は通知を受信し、通知内容を解析する機能を有する。システム自動調整データベース３０５は交換／増設された基板の種別毎に実施すべき調整内容と調整実施対象を特定する方法を記憶する機能を有する。調整内容検索部２０４は通知内容解析結果とシステム自動調整データベース３０５を基に推奨調整内容を検索する機能を有する。調整実行部３０６は調整内容検索部２０４によって検索された推奨調整内容に従って調整を実行する機能を有する。
【００１７】
実施の形態３．
以下、実施の形態３を、図６を用いて説明する。
図６は実施の形態３におけるオペレーション装置の構成図である。
図６において、オペレーション装置の一例であるオペレーションシステム２０７は、受信部２０３、履歴データ更新部４０４、基板交換履歴データベース４０５、表示部４０６を備えている。例えば光通信装置などの障害が発生および回復する装置１は、実施の形態１と同様である。
オペレーション装置は、部品が装着される所定の装置を操作する。
入力部は、上記所定の装置から、上記所定の装置に装着された部品の装着情報を入力する。具体的には、入力部の一例として、受信部２０３は、通知部２０２から報告された基板交換／増設通知を受信後、通知内容を解析し、装着情報の一例として、交換／増設された基板種別と基板増設箇所を取り出す。装着情報の一例として、実施の形態１における通知部７が出力する識別情報が挙げられる。
データベースの一例として、基板交換履歴データベース４０５は、上記所定の装置１に過去に装着されていた部品の装着情報の履歴を示す履歴情報を記憶する。
履歴情報更新部は、上記入力部により入力された部品の装着情報に基づいて、上記データベースに記憶された履歴情報を更新する。具体的には、履歴情報更新部の一例として、履歴データ更新部４０４は、解析結果を基に当該交換基板の交換日時で基板交換履歴データベース４０５を更新する。
表示部４０６は、上記履歴情報更新部により更新された履歴情報を表示する。具体的には、基板交換履歴データベースの内容が、表示部４０６でシステム管理者に表示される。
【００１８】
図７は、基板交換履歴データベース４０５の内容例を示す図である。
図７においては、装着情報の一例としての基板種別の種別情報を示す基板種別Ａ，Ｂ，Ｃ，Ｄと、基板実装箇所を示す○○システム□□ノード  Ａスロット、Ｂスロット、Ｃスロット、Ｄスロットとが記載されている。ここで、装着情報はその他の情報であっても構わない。基板交換履歴データベース４０５が記憶する例えば図７に記載された基板交換日時、コメントの各内容に対応できる情報であれば構わない。
また、図７においては、履歴情報の一例として、基板交換日時、交換基板種別、基板実装箇所、コメントの各内容が対応して記載されている。
本実施の形態によれば、基板の実装検出時に基板交換を認識することが可能となるとともに、基板交換の履歴管理が可能となり、さらに、基板交換履歴を表示することが可能となる。
【００１９】
以上のように、本実施の形態は、外部オペレーション装置に基板交換履歴データベース４０５と、通知される基板製造番号変化通知内容を基板交換履歴データベース４０５に保存する履歴データ更新部４０４、基板交換履歴データベース内容を表示する表示部４０６を備え、過去の基板交換履歴を参照することを可能とすることを特徴とした光伝送システムを一例として説明した。
本実施の形態に関わる通知部７は、検出した基板交換／増設をオペレーションシステム２０７に通知するための機能を有する。受信部２０３は通知を受信し、通知内容を解析する機能を有する。履歴データ更新部４０４は通知内容解析結果を基板交換履歴データベース４０５に更新する機能を有する。基板交換履歴データベース４０５は通知内容解析結果を蓄積する機能を有する。表示部４０６は基板交換履歴データベースの内容を、例えばシステム管理者の要求に従って、ディスプレイへの画面表示のように、システム管理者が認識できる形式に変換して通知する機能を有する。
【００２０】
実施の形態４．
以下、実施の形態４を、図８を用いて説明する。
図８は、実施の形態３におけるオペレーション装置の構成図である。
図８において、オペレーション装置の一例であるオペレーションシステム２０７は、受信部２０３、基板交換日時更新部５０４、基板交換日時データベース５０５、公称連続稼働時間データベース５０６、稼働時間チェック部５０８、障害検出部５０９を備えている。例えば光通信装置などの障害が発生および回復する装置１は、実施の形態１と同様である。
オペレーション装置の一例であるオペレーションシステム２０７は、所定の部品が装着される所定の装置１を操作する。
入力部は、上記所定の装置から、上記所定の装置に装着された所定の部品の装着情報を入力する。具体的には、入力部の一例として、受信部２０３は、通知部７から報告された基板交換／増設通知を受信後、通知内容を解析し交換／増設された基板の基板種別と基板交換／増設箇所を取り出す。
装着情報データベース、第１のデータベースの一例として、基板交換日時データベース５０５は、上記所定の装置に装着されていた所定の部品の装着情報と上記入力部により入力された装着された所定の部品の装着情報とを記憶する。ここでは、装着情報の一例として、例えば、基板交換日時、交換基板種別、基板実装箇所が挙げられる。
基板交換日時更新部５０４は、解析結果を基に当該交換基板の交換日時で基板交換日時データベース５０５を更新する。
耐用期間情報データベース、第２のデータベースの一例として、公称連続稼働時間データベース５０６は、上記装着されていた所定の部品を連続使用する場合の耐用期間を示す耐用期間情報を記憶する。ここでは、公称連続稼働時間を耐用期間情報の一例として挙げている。
耐用期間チェック部は、上記装着情報データベースにより記憶された上記装着されていた所定の部品の装着情報と上記装着された所定の部品の装着情報と、上記耐用期間情報データベースにより記憶された耐用期間情報とに基づいて、上記装着されていた所定の部品が上記耐用期間を超えているかどうかをチェックする。具体的には、耐用期間チェック部の一例として、稼働時間チェック部５０８は定期的に基板交換日時データベース５０５に記憶された当該交換基板の交換日時と公称連続稼働時間データベース５０６に記憶された公称連続稼働時間とを比較する。
識別情報出力部の一例として、障害検出部５０９は稼働時間チェック部５０８から連続稼働時間超過通知の報告を受信する。識別情報出力部の一例としての障害検出部５０９は、上記耐用期間チェック部によりチェックされた結果、上記装着されていた所定の部品が上記耐用期間を超えている場合に、上記装着されていた所定の部品が上記耐用期間を超えていることを示す識別情報を出力する。
【００２１】
図９は、基板交換日時データベース５０５の内容例を示す図である。
図９においては、装着情報の一例としての基板種別の種別情報を示す基板種別Ａ，Ｂ，Ｃ，Ｄと、基板実装箇所を示す○○システム□□ノード  １スロット、２スロット、３スロット、４スロットとが記載されている。ここで、装着情報はその他の情報であっても構わない。基板交換日時データベース５０５が記憶する例えば図９に記載された基板交換日時に対応できる情報であれば構わない。
また、図９においては、装着情報の一例として、基板交換日時、交換基板種別、基板実装箇所の各内容が対応して記載されている。
本実施の形態によれば、基板の実装検出時に基板交換を認識することが可能となるとともに、基板の連続稼働時間の監視が可能となる。そして、装置内の各基板の稼働時間を監視することで、公称連続稼働時間を超過した場合は障害として検出することが可能となる。
【００２２】
以上のように、本実施の形態は、外部オペレーション装置に基板交換日時データベース５０５と、通知される基板製造番号変化通知時刻を基板交換日時データベース５０５に保存する基板交換日時更新部５０４、基板の公称連続稼働時間を保存する公称連続稼働時間データベース５０６、一定時間間隔で基板交換日時データベース５０５と公称連続稼働時間データベース５０６とを比較する稼働時間チェック部５０８を備え、基板稼働時間を監視することを特徴とした光伝送システムを一例として説明した。
本実施の形態に関わる通知部７は、検出した基板交換／増設をオペレーションシステム２０７に通知するための機能を有する。受信部２０３は通知を受信し、通知内容を解析する機能を有する。基板交換日時更新部５０４は交換された基板の日時を基板交換日時データベース５０５に更新する機能を有する。基板交換日時データベース５０５は装置の各基板についてそれぞれ基板交換日時を記憶する機能を有する。稼働時間チェック部５０８は基板交換日時データベース５０５を参照し、装置の各基板について連続稼働時間を算出し、公称連続稼働時間データベース５０６と比較する機能を有する。障害検出部５０９は稼働時間チェック部５０８による稼働時間を確認した結果、公称連続稼働時間を超えていた場合、障害として通知する機能を有する。
【００２３】
以上の説明において、オペレーションシステム２０７は、図示されていないが、システムユニット、ＣＲＴ（Ｃａｔｈｏｄｅ  Ｒａｙ  Ｔｕｂｅ）表示装置、キーボード（Ｋ／Ｂ）、マウス、コンパクトディスク装置（ＣＤＤ）、プリンタ装置、スキャナ装置を備えている。ＣＲＴ表示装置、Ｋ／Ｂ、マウス、ＣＤＤ、プリンタ装置、スキャナ装置は、システムユニットにケーブルで接続されている。装置１或いは障害監視装置１００も同様に構成されていても構わない。
また、装置１或いは障害監視装置１００とオペレーションシステム２０７とは、図示されていないが、プログラムを実行するＣＰＵ（Ｃｅｎｔｒａｌ  Ｐｒｏｃｅｓｓｉｎｇ  Ｕｎｉｔ）を備えている。ＣＰＵは、バスを介してＲＯＭ（Ｒｅａｄ  Ｏｎｌｙ  Ｍｅｍｏｒｙ）（記憶装置の一例である）、ＲＡＭ（Ｒａｎｄｏｍ  Ａｃｃｅｓｓ  Ｍｅｍｏｒｙ）（記憶装置の一例である）、ＣＲＴ表示装置、Ｋ／Ｂ、マウス、通信ボード、ＦＤＤ（Ｆｌｅｘｉｂｌｅ  Ｄｉｓｋ  Ｄｒｉｖｅ）、磁気ディスク装置（記憶装置の一例である）、ＣＤＤ、プリンタ装置、スキャナ装置と接続されている。通信ボードは、インターネットに接続されていても構わない。
ここで、通信ボードは、インターネットに限らず、ＬＡＮ（ローカルエリアネットワーク）、或いはＩＳＤＮ等のＷＡＮ（ワイドエリアネットワーク）に接続されていても構わない。
磁気ディスク装置には、オペレーティングシステム（ＯＳ）、ウィンドウシステム、プログラム群、ファイル群が記憶されている。プログラム群は、ＣＰＵ、ＯＳ、ウィンドウシステムにより実行される。
【００２４】
また、以上の説明において、各実施の形態の説明において「〜部」として説明したものは、一部或いはすべてコンピュータで動作可能なプログラムにより構成することができる。これらのプログラムは、例えば、Ｃ言語により作成することができる。或いは、ＨＴＭＬやＳＧＭＬやＸＭＬを用いても構わない。或いは、ＪＡＶＡ（登録商標）を用いて画面表示を行っても構わない。
また、各実施の形態の説明において「〜部」として説明したものは、ＲＯＭに記憶されたファームウェアで実現されていても構わない。或いは、ソフトウェア或いは、ハードウェア或いは、ソフトウェアとハードウェアとファームウェアとの組み合わせで実施されても構わない。
また、上記各実施の形態を実施させるプログラムは、また、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体による記録装置を用いても構わない。
また、出力部は、ＣＲＴ表示装置、その他の表示装置、プリンタ装置等の出力装置を用いても構わない。
【００２５】
【発明の効果】
本発明によれば、基板の実装検出時に基板交換を認識することが可能となるとともに、基板交換によって実施すべき推奨調整内容をシステム管理者に通知すること、あるいは自動的に実行することが可能となる。また、基板交換の履歴管理が可能となり、基板の連続稼働時間の監視が可能となる。これらにより装置のメンテナンス時間を削減することが可能となるとともにシステム管理者に基板交換の傾向を提供することが可能となる。
【図面の簡単な説明】
【図１】障害監視装置の構成図である。
【図２】実施の形態１におけるオペレーション装置の構成図である。
【図３】システム調整データベースの内容例を示す図である。
【図４】実施の形態２におけるオペレーション装置の構成図である。
【図５】システム自動調整データベース３０５の内容例を示す図である。
【図６】実施の形態３におけるオペレーション装置の構成図である。
【図７】基板交換履歴データベース４０５の内容例を示す図である。
【図８】実施の形態３におけるオペレーション装置の構成図である。
【図９】基板交換日時データベース５０５の内容例を示す図である。
【符号の説明】
１  装置、２  基板実装状態検出部、３  基板製造番号検出部、４  基板製造番号比較部、５  基板製造番号記憶部、６  障害検出部、７  通知部、１０  基板、２０３  受信部、２０４  調整内容検索部、２０５  システム調整データベース、２０６  表示部、２０７  オペレーションシステム、３０５  システム自動調整データベース、３０６  調整実行部、４０４  履歴データ更新部、４０５基板交換履歴データベース、４０６  表示部、５０４  基板交換日時更新部、５０５  基板交換日時データベース、５０６  公称連続稼働時間データベース、５０８  稼働時間チェック部、５０９  障害検出部、１００  障害監視装置、１１０  固体番号検出部。
【図１】
2004214882.tif 000003
【図２】
2004214882.tif 000004
【図３】
2004214882.tif 000005
【図４】
2004214882.tif 000006
【図５】
2004214882.tif 000007
【図６】
2004214882.tif 000008
【図７】
2004214882.tif 000009
【図８】
2004214882.tif 000010
【図９】
2004214882.tif 000011